(57)【要約】      （修正有）【課題】光ファイバの１００％が複数のネットワークデバイスにわたってエンドツーエンドで利用される、光ファイバネットワーク、デバイス及び関連する方法を提供する。【解決手段】ネットワークはコンバータを有しておらず、デバイス間のインターコネクトポイントでファイバ間の単一の直接接続のみを含む。ネットワークデバイスは、フェルールを含むことができ、フェルールの少なくともいくつかは光ファイバを有していない。光ファイバネットワークを提供するための方法は、データを送信及び受信するための光ファイバを有するネットワークデバイスを提供するステップと、ネットワークデバイスにわたってエンドツーエンドで光ファイバの１００％を使用してデータを送信するステップとを含む。【選択図】図６
2015216615.tif 000002
【特許請求の範囲】
【請求項１】
光ファイバネットワークであって、
データを送信及び受信するための光ファイバを備える複数のネットワークデバイスを備え、
前記光ファイバの１００％が前記複数のネットワークデバイスにわたってエンドツーエンドで利用される、光ファイバネットワーク。
【請求項２】
前記光ファイバは、毎秒およそ４０ギガビット（Ｇ）、およそ１００Ｇ、又は１００Ｇを超えて、データを信号で伝えるように構成される、請求項１に記載の光ファイバネットワーク。
【請求項３】
前記複数のネットワークデバイスの少なくとも一部が８芯数（８ｃｔ）ファイバ基準を備える、請求項１に記載の光ファイバネットワーク。
【請求項４】
前記複数のネットワークデバイスの各々が８ｃｔファイバ基準を有する、請求項３に記載の光ファイバネットワーク。
【請求項５】
データを送信（ＴＸ）及び受信（ＲＸ）するための４つの別個のチャネルを有する「４掛けの」パラレルオプティックスを備える、請求項１に記載の光ファイバネットワーク。
【請求項６】
４つの別個のチャネルを備え、各チャネルが毎秒１０ギガビット（Ｇ）でデータを送信又は受信するように構成される、請求項１に記載の光ファイバネットワーク。
【請求項７】
４つの別個のチャネルを備え、各チャネルが毎秒２５ギガビット（Ｇ）でデータを送信又は受信するように構成される、請求項１に記載の光ファイバネットワーク。
【請求項８】
前記複数のネットワークデバイスの少なくとも１つが、ファイバを有しない少なくとも４つの中央のフェルール位置を備える、請求項１に記載の光ファイバネットワーク。
【請求項９】
前記複数のネットワークの少なくとも１つが、ファイバを有しない少なくとも２つの外側のフェルール位置を備える、請求項１に記載の光ファイバネットワーク。
【請求項１０】
光ファイバネットワークであって、
少なくとも毎秒およそ４０ギガビット（４０Ｇ）以上のレートでのデータ通信をサポートするための光ファイバを備える複数のネットワークデバイスを備え、
前記複数のネットワークデバイスのうち接続されたデバイス間のインターコネクトポイントが１つの直接接続のみを備える、光ファイバネットワーク。
【請求項１１】
前記インターコネクトポイントでコンバータ又は変換モジュールを有しない、請求項１０に記載の光ファイバネットワーク。
【請求項１２】
前記複数のネットワークデバイスにわたる１００％のエンドツーエンドのファイバの利用を有する、請求項１０に記載の光ファイバネットワーク。
【請求項１３】
前記複数のネットワークデバイスは、少なくとも１００Ｇ以上のレートで通信する、請求項１０に記載の光ファイバネットワーク。
【請求項１４】
前記複数のネットワークデバイスが８芯数（８ｃｔ）ファイバ基準を有する、請求項１０に記載の光ファイバネットワーク。
【請求項１５】
８芯数（８ｃｔ）ファイバ基準のデバイスのみが利用される、請求項１０に記載の光ファイバネットワーク。
【請求項１６】
４つの別個のチャネルで構成される、１つ以上の８ｃｔファイバパラレルオプティックスデバイスを更に備える、請求項１０に記載の光ファイバネットワーク。
【請求項１７】
各チャネルが毎秒１０ギガビット（１０Ｇｂｐｓ）以上を送信するように構成される、請求項１６に記載の光ファイバネットワーク。
【請求項１８】
各チャネルが毎秒２５ギガビット（２５Ｇｂｐｓ）以上を送信するように構成される、請求項１６に記載の光ファイバネットワーク。
【請求項１９】
光ファイバネットワークのためのデバイスであって、
複数のフェルールを備え、前記フェルールの少なくともいくつかが光ファイバを有しない、デバイス。
【請求項２０】
ケーブルを備える、請求項１９に記載のデバイス。
【請求項２１】
リボンケーブルを備える、請求項２０に記載のデバイス。
【請求項２２】
ジャンパーケーブルを備える、請求項２０に記載のデバイス。
【請求項２３】
コネクタ又は通信モジュールを備える、請求項１９に記載のデバイス。
【請求項２４】
光ファイバネットワークを提供するための方法であって、
データを送信及び受信するための光ファイバを備える複数のネットワークデバイスを提供するステップと、
前記複数のネットワークデバイスにわたってエンドツーエンドで前記光ファイバの１００％を使用してデータを送信するステップと、
を備える方法。
【請求項２５】
前記データを送信するステップが、毎秒４０ギガビット（Ｇ）以上でデータを送信するステップを備える、請求項２４に記載の方法。
【請求項２６】
前記データを送信するステップが、毎秒１００ギガビット（Ｇ）以上でデータを送信するステップを備える、請求項２４に記載の方法。
【請求項２７】
前記データを送信するステップが、４つの別個のチャネルを介して通信するステップを備える、請求項２４に記載の方法。
【請求項２８】
前記データを送信するステップが、１６個の別個のチャネルを介してデータを送信するステップを備える、請求項２４に記載の方法。
【発明の詳細な説明】
【関連出願の相互参照】
【０００１】
本願は、２０１４年５月９日付けで出願された米国仮特許出願第６１／９９１，０７７号の優先権を主張し、その開示は、全文が引用によって本明細書に組み込まれる。
【技術分野】
【０００２】
本願の主題は、一般的に、光ファイバ通信ネットワーク、デバイス、及び／又は、方法に関し、より詳細には、減じられた光ファイバ芯数、又は減じられたファイバ芯数基準を有するデータセンタ、デバイス、及び／又は、関連する方法に関する。
【背景技術】
【０００３】
光ファイバは、例えば少なくとも毎秒１ギガバイト（すなわち、「Ｇｂｐｓ」又は「Ｇ」）のレートでのデータ転送を容易にするため、様々なタイプの通信ネットワークにおいて使用される。従来の１Ｇネットワーク及び１０Ｇネットワークでは、データがそれぞれ１Ｇｂｐｓおよび１０Ｇｂｐｓのレートで転送されるが、これらのネットワークは、１２芯数（「１２ｃｔ」）ファイバ、及び／又は、１２ｃｔファイバ基準を利用する構内配線システム（ＳＣＳ）に基づいている。すなわち、従来のネットワークのケーブル、リボンケーブル、トランクケーブル、コネクタ、コンバータ、アダプタ、パッチ等を含むネットワークハードウェアのベースユニットは、１２ｃｔファイバである。
【０００４】
より高速の（例えば、４０Ｇ、１００Ｇ、４００Ｇ等のレートでの）データ転送に対する要求は、ネットワークキャリア／プロバイダ、報道発信源、クラウド、データアプリケーション、ソーシャルメディアアプリケーション等からのデータへのアクセス（すなわち、送出／受信）のためにファイバネットワーク及び／又はそのコンポーネントを利用するスマートな技術の到来に部分的に起因して、絶えず高まっている。ネットワークプロバイダは、１Ｇ／１０Ｇ／４０Ｇ／１００Ｇネットワークをサポートするためのサーバ、トランシーバ、レシーバ、通信モジュール、コンバータ、コネクタ、プレート、パッチ、ラック、ルータ、スイッチ、ポート等を含むネットワークハードウェア又はコンポーネントを収容するためにデータセンタを利用する。これまで、ネットワーク及びネットワークデータセンタは、ファイバ基準として従来の１２ｃｔファイバに基づいたハードウェアを利用している。
【０００５】
４０Ｇネットワーク及び１００Ｇネットワークといったより高速のネットワークでは、１２本のファイバのうち８本のみがデータ送信を容易にするために使用され得る。したがって、従来のネットワークは、大量の未使用の（例えば浪費的な）ファイバを有する。これは、費用がかかり、製造、管理及び維持が高価となる。加えて、高価なコンバータまたは変換モジュールが、より低速（すなわち、１Ｇ、１０Ｇ）のネットワークをより高速（すなわち、４０Ｇ、１００Ｇ等）のネットワークに変換し、アップグレードし、及び／又はそうでなければスケーリングするために使用されなくてはならない。
【発明の概要】
【発明が解決しようとする課題】
【０００６】
図１は、従来のファイバネットワークにおいて利用される、一般的にＭＰＯと示された従来のマルチファイバプッシュオン（ＭＰＯ）コネクタデバイスを示す。ＭＰＯコネクタは、１２ｃｔ基準を含んでいる。上述したように、４０Ｇネットワークおよび１００Ｇネットワークでは、１２本のファイバのうち８本（例えば、４本のＴＸおよび４本のＲＸ）のみがデータ送信を容易にするために使用され得る。一般的にＦＭと示された中央の４本のファイバは、ＭＰＯの中央のフェルール位置に存在するが、未使用であり、「ダーク」と呼ばれ得る。一般的にＦＯと示された外側のファイバは、ＭＰＯの最も外側の位置に配置され、通信ネットワークにおけるデータの送信／受信のために使用される。１２ｃｔ  ＳＣＳの従来のプラクティスを使用する従来のネットワークでは、ファイバの内、およそ約１／３が未使用であるので、中央の４本のファイバＦＭは、約３３％のファイバの浪費を結果としてもたらすことになる。これは、特に、ＩＳＯ  １１８０１によって説明された、及び／又は、ＴＩＡ−４９２−ＡＡＡＤにおいて定義された光マルチモード（ＯＭ）ファイバを利用するネットワークに関し、浪費的であり高価で非効率である。３３％のファイバの浪費は、結果的に、費用、材料、リソース及び空間の観点で多大な浪費となり、それは、特に数百のポートを有するデータセンタを利用する大きなネットワークにおいて容認できないものである。
【０００７】
ファイバの浪費に加えて、１２ｃｔファイバ基準を利用する従来のネットワーク及びデータセンタにおいて生じる別の問題は、１００％のファイバの利用を達成するために変換モジュールが必要とされることである。多数のネットワークキャリアは、３３％のファイバの浪費をとても吸収できるものではない。図２は、一般的にＭと示されたコンバータまたは変換モジュールを示す。変換モジュールＭは、入力のファイバを受け入れ、これらのファイバをすべてのファイバが出力で利用されるようになる手法で再構成またはマッピングするように構成される。例えば、モジュールＭは、各々が１２ｃｔファイバ基準で構成され、合計で２×１２ｃｔ、すなわち、２４本の合計入力ファイバとなる２つの入力ＭＰＯ接続またはポートＭＩを含む。２４本のファイバがモジュールＭのハウジングＨ内で再構成されて、８芯数（「８ｃｔ」）ファイバ基準を有する３つの出力ＭＰＯ接続が出力ＭＰＯ接続またはポートＭＯを介して出力されるようになる。このシナリオでは、２つの入力ポートＭＩからの２４本のファイバ（すなわち、２×１２ｃｔ）が、出力ポートＭＯで３×８ｃｔのＭＰＯ接続に変換される。変換モジュールＭは、費用がかかり、貴重な空間を要求し、ネットワークを適切にマッピングするための徹底した記録の保持およびラベル付けを要求する。
【０００８】
さらに、定義によると、コンバータまたは変換モジュールＭは、ネットワーク内に追加のターミネーションポイントを設置する。モジュールＭは、チャネル当たり２つの追加、又は（例えば、１２ｃｔファイバと８ｃｔファイバとの間の）インターコネクションポイント当たり１つの追加を含む、追加のターミネーションポイントを作成し、リンクの損失バジェットに対処することを要求する。
【０００９】
図３に示すように、インターコネクションポイントＰは、１２ｃｔファイバ（例えば、１つの２４ｃｔファイバリボン）接続Ｃ１又はターミネーションポイントと、各々がＣ２と示されている３つの８ｃｔファイバ接続又はターミネーションポイントとの間に配置される。接続ポイントＣ１及び接続ポイントＣ２はターミネーションポイントであり、それらは、信号損失を受けやすい。例えば、インターコネクションポイントＰで、２４ｃｔファイバＦ２４が３つの８ｃｔファイバＦ８へ再構成またはマッピングされる。インターコネクションポイントＰでの各接続又はターミネーションポイントは、各ネットワークチャネルにわたって信号損失の可能性を増大させる。
【００１０】
これらの問題に鑑み、減じられたファイバ芯数又はファイバ芯数基準を有することによりエンドツーエンドで１００％のファイバ利用を達成するネットワーク、デバイス、及び／又は方法に対する必要性が存在している。いくつかの実施形態では、８芯数（「８ｃｔ」）ファイバ基準のみを利用して４０Ｇ、１００Ｇ、又は１００Ｇを超える通信をサポートするネットワークをサポートするデータセンタ、デバイス、及び／又は方法に対する必要性が存在している。そのようなネットワーク、デバイス、及び／又は方法は、好適にはコネクタ及び／又は変換モジュールを持たないべきであり、それにより、ネットワーク内の信号損失の可能性を最小化する。
【課題を解決するための手段】
【００１１】
光ファイバネットワーク、デバイス、及び関連する方法が、本明細書において提供される。光ファイバネットワークは、複数のネットワークデバイスを備えることができ、複数のネットワークデバイスは、データを送信及び受信するためのそれらを通る光ファイバを有し、光ファイバの１００％が複数のネットワークデバイスにわたってエンドツーエンドで利用される。本明細書に開示されるネットワークは、ネットワークデバイス間のコネクタ又は接続モジュールを有していない。本明細書に開示されるネットワークはネットワークデバイス間の単一の直接接続のみを備える。本明細書に開示されるネットワークは、例えば８芯数（８ｃｔ）ファイバ基準を有する減じられたファイバ芯数のデバイスを利用する。いくつかの実施形態では、８ｃｔファイバ基準のデバイスのみがネットワーク内で利用される。本明細書におけるネットワークは、毎秒およそ４０ギガビット（Ｇ）、およそ１００Ｇ、又は１００Ｇを超えて、データを信号で伝えるように構成される。
【００１２】
本明細書に開示されるネットワークデバイスは、８ｃｔデバイスを備えることができる。いくつかの実施形態において、このデバイスは、複数のフェルールを備え、フェルールの少なくともいくつかは、光ファイバを有していない。ネットワークデバイスは、ケーブル（例えばリボンやジャンパー）、コネクタ、ＭＰＯコネクタ、パネル、スイッチ等を備えることができる。
【００１３】
光ファイバネットワークを提供するための方法は、データを送信及び受信するための光ファイバを備える複数のネットワークデバイスを提供するステップと、複数のネットワークデバイスにわたってエンドツーエンドで光ファイバの１００％を使用してデータを送信するステップと、を備える。
【００１４】
本明細書における光ネットワーク、デバイス、及び関連する方法の実施形態は、限定ではなく例として、以下の技術的利点、すなわち、ネットワーク内の一部又は全部のデバイス又はコンポーネントにわたる１００％のエンドツーエンドのファイバの利用、ネットワーク当たりの外部のコンバータの排除又は減少、改善及び／又は単純化されたネットワークの管理、改善及び／又は単純化されたネットワークの構築、向上したネットワーク効率、ネットワーク及び／又は機器を提供する減少したコスト、より少ない浪費、ネットワーク当たりに要求されるより少ない消耗品／原材料、最小化された信号損失、の１つ以上を提供することができる。これらのおよび他の目的が、本明細書に開示される主題によって達成されることができる。
【図面の簡単な説明】
【００１５】
本願の主題の十分かつ実施可能な程度の開示は、１つ以上の実施形態に関連する添付図面の参照を含む本明細書のこれより後の部分において、より詳細に説明される。
【図１】図１は、いくつかの実施形態に係る、未使用のファイバを組み込んだ従来の１２ｃｔファイバ基準のマルチファイバプッシュオン（ＭＰＯ）コネクタの模式図である。
【図２】図２は、いくつかの実施形態に係る、従来の変換コネクタモジュールの斜視図である。
【図３】図３は、いくつかの実施形態に係る、１２ｃｔファイバ基準を有するファイバと８ｃｔファイバ基準の３本のファイバとの間の従来のインターコネクションポイントを示す図である。
【図４】図４（ａ）〜図４（ｃ）は、いくつかの実施形態に係る、１０Ｇの、４０Ｇの、１００Ｇの又は１００Ｇを超える信号でのデータ送信を容易にするために使用されるパラレルオプティックスを示す模式図である。
【図５】図５（ａ）及び図５（ｂ）は、いくつかの実施形態に係る、減じられたファイバ芯数基準を利用する構内配線システム（ＳＣＳ）を示す図である。
【図６】図６（ａ）及び図６（ｂ）は、いくつかの実施形態に係る、減じられたファイバ芯数基準を利用する、ケーブルターミネーションソリューションを示す図である。
【図７】図７（ａ）及び図７（ｂ）は、いくつかの実施形態に係る、減じられたファイバ芯数基準を利用するリボンケーブルの断面図である。
【図８】図８は、いくつかの実施形態に係る、減じられたファイバ芯数基準を有する２つの別個のデバイス間のインターコネクションポイントを示す図である。
【図９】図９は、いくつかの実施形態に係る、減じられたファイバ芯数基準を利用するネットワークの模式的なネットワーク図である。
【図１０】図１０は、いくつかの実施形態に係る、減じられたファイバ芯数基準を有する、ネットワークデータセンタ及び／又はそのコンポーネントを示す図である。
【発明を実施するための形態】
【００１６】
減じられたファイバ芯数のシステム（例えば、光ファイバネットワーク及び／又はデータセンタ）、デバイス、及び、関連する方法が、本明細書において提供される。ネットワークの設計者は、減じられたファイバ芯数又はファイバ芯数基準を有するネットワークデータセンタ及び／又はそのコンポーネントを設計し得る。これは好適には、ネットワーク又はシステム内で、ネットワーク接続を単純化し、経費を節約し、費用のかかるコンバータを排除し、材料を減らし、及び／又は浪費（例えば、利用されないファイバの量）を減らすことができる。いくつかの実施形態において、光ネットワークは、１２ｃｔ基準から減じられた８ｃｔファイバ又は８ｃｔファイバ基準を有する構内配線システム（ＳＣＳ）を利用する。
【００１７】
光ファイバネットワーク又はデータセンタ内のＳＣＳ（例えば、リボンケーブルまたはトランクケーブル）、コネクタ、トランシーバ、レシーバ、ポート、通信モジュール、コンバータ、サーバ、プレート、パッチ、ルータ、スイッチ、ラック、及び／又は、任意の他のコンポーネントといったデバイスは、関連づけられたネットワークアーキテクチャのための基礎的要素として、８芯数（「８ｃｔ」）ファイバ及び／又は８ｃｔファイバ基準を利用し得る。いくつかの実施形態において、８ｃｔに基づいたＳＣＳおよびネットワークコンポーネントは、効率的な空間の使用を提供し、高価な変換モジュールの要求を排除することができる。減じられた８ｃｔの機器は、好適に高価なコンバータの必要なしに従来の１２ｃｔの機器との組合せで使用することができる。８ｃｔファイバを介した通信を容易にするネットワークデバイスでは、１つ以上のフェルール位置がファイバを持たないことがあり得る。いくつかの実施形態において、本明細書におけるネットワークは、毎秒１０ギガビット（すなわち「Ｇｂｐｓ」又は「Ｇ」）またはそれ以上で、データを送信／受信するように構成された光ファイバネットワークを備える。いくつかの実施形態では、本明細書におけるネットワークは、費用のかかる変換モジュールを有しておらず、８ｃｔファイバ基準のコンポーネント又はデバイスのみを利用する１０Ｇ、４０Ｇ、１００Ｇ、又は、４００Ｇのネットワークである。
【００１８】
ネットワーク内の異なるデバイスは、インターコネクションポイントで互いに接続し得る。例えば、トランクケーブル又はリボンケーブルが、インターコネクションポイントを介した２つ以上のデバイス間の接続及び／又は通信のために使用され得る。いくつかの実施形態では、８ｃｔに基づいたＳＣＳは、各インターコネクションポイントが単一の直接接続のみで構成されるように、各インターコネクションポイントでの接続の数を１まで最小化することができる。これは好適に各ネットワークチャネルにわたる信号損失の可能性を最小化する。
【００１９】
ここで本願の主題の可能な実施形態が詳細に参照され、その１つ以上の例が図に示される。各例は、限定としてではなく、主題を説明するために提供される。実際、一実施形態の一部として示され又は説明される特徴は、別の実施形態において、さらなる別の実施形態をもたらすために使用され得る。本明細書において開示及び想定される主題がそのような変更及び変形をカバーすることが意図される。
【００２０】
様々な図に示されるように、構造又は部分のいくつかのサイズは、例示目的で他の構造又は部分と比べて強調され、例えば、本願の主題の一般的な構造を示すために提供される。更に、本願の主題の様々な実施形態は、他の構造、部分、又はその両方の上に形成されている構造又は部分に関連して説明される。当業者によって理解されるように、別の構造又は部分の「上」又は「上部」に形成されている構造への言及は、追加の構造、部分、又はその両方が介在し得ることを意図する。
【００２１】
介在する構造又は部分なしに別の構造又は部分の「上」に形成されている構造又は部分への言及は、その構造又は部分の「上に直接」形成されているものとして、本明細書では説明される。同様に、要素が、別の要素に「接続」、「取付け」又は「結合」されているものとして言及される場合、それは他の要素に直接接続され、取り付けられ、又は結合され得るか、又は、介在する要素が存在し得るものと理解される。対照的に、要素が、別の要素に「直接接続」、「直接取付け」又は「直接結合」されているものとして言及される場合、介在する要素は存在しない。
【００２２】
更に、「上」、「上部」、「上方」、「最上部」、「下方」又は「底部」といった相対的な用語は、図に示された１つの構造又は部分の別の構造又は部分に対する関係を説明するために、本明細書において使用される。「上」、「上部」、「上方」、「最上部」、「下方」又は「底部」といった相対的な用語が、図に示す位置に加えてデバイスの異なる位置を含むように意図されていることが理解される。例えば、図中のデバイスが上下逆になった場合、他の構造又は部分の「上部」として説明された構造又は部分はここで、他の構造又は部分の「下」に位置するだろう。同様に、図中のデバイスが軸に沿って回転した場合、他の構造または部分の「上部」として説明された構造又は部分はここで、他の構造又は部分の「隣」又は「左」に位置するだろう。同一の番号は、全体を通して同一の要素を指す。
【００２３】
１つ以上の要素の欠如が特に記載されない限り、本明細書において使用される、「備える」、「含む」及び「有する」という用語は、１つ以上の要素の存在を排除しない、拡張可能な用語として解釈されるべきである。
【００２４】
いくつかの実施形態において、本明細書に説明される通信ネットワーク及びデバイスは、ネットワーク及びそれぞれのデータセンタ内で、複数のファイバにわたってデータを同時に送信及び受信するために、パラレルオプティックスを利用する。例えば、図４（ａ）に示すように、１つの１０Ｇチャネルは、通信信号を同時に送信／受信する２つのパラレルファイバで構成され得る。一方のファイバが１０Ｇでデータを送信し、もう一方のファイバは、同時に１０Ｇでデータを受信する。本明細書において使用される場合、頭字語又は省略形の「ＴＸ」は、データ又は情報を、送信、送信する、及び／又は、伝送又は伝送することを表す。頭字語の「ＲＸ」は、データ又は情報を、受信、受信する、及び／又は、受信することを表す。従って、２本のパラレルファイバ（例えば、１本のＴＸ、及び１本のＲＸ）が１０Ｇ／４０Ｇ／１００Ｇ／４００Ｇネットワークにおける１つの１０Ｇチャネル又はポートのために必要である。
【００２５】
より高速のデータ転送を提供するため、１つの４０Ｇチャネルが合計８本のファイバ、例えば４本のＴＸ及び４本のＲＸを含んでいてもよい。図４（ｂ）に示すように、１つの４０Ｇチャネルは、データを（すなわち各々が１０Ｇで）送信するための４本のファイバ、及び、データを（すなわち各々が１０Ｇで）受信するための４本のファイバのみで構成される。従って、８本のパラレルファイバのみが１つの４０Ｇチャネル又はポートのために利用されることができ、各ファイバは１０ＧでＴＸ／ＲＸするように構成される。
【００２６】
図４（ｃ）は、パラレルオプティックスを利用する１つの１００Ｇチャネル又はポートを示し、各ファイバを通る信号は１０Ｇではなくて２５Ｇである。１つの１００Ｇチャネルもまた合計８本のファイバ、例えば４本のＴＸ及び４本のＲＸを含み得る。図４（ｃ）に示すように、１つの１００Ｇチャネルは、データを（すなわち各々が２５Ｇで）送信するための４本のファイバ、及び、データを（すなわち各々が２５Ｇで）受信するための４本のファイバで構成され得る。従って、８本のパラレルファイバのみが１つの１００Ｇチャネル又はポートのために利用されることができ、各ファイバは２５ＧでＴＸ／ＲＸするように構成される。図４（ｂ）及び図４（ｂ）は、４つの別個のチャネルがデータを送信（ＴＸ）及び受信（ＲＸ）するために利用される「４掛けの」パラレルオプティックスを備える。
【００２７】
特に本明細書におけるネットワーク、デバイス、及び関連する方法は、好適にパッシブネットワーク内での１００％のエンドツーエンドのファイバ利用を可能にし、それにより、８ｃｔファイバ基準の８本すべてのファイバが利用され、少なくともファイバの浪費がほぼ０％となる。本明細書で説明されるネットワークのための基本的なファイバ構造として８ｃｔファイバを利用することは、ネットワークの設計、管理、構築、及びネットワークの全体的な経済性の観点で、好適又は有益である。
【００２８】
図５（ａ）及び図５（ｂ）は、一般的に１０と示されたＳＣＳ又はケーブルデバイスの図を示す。デバイス１０は、少なくとも４０Ｇ、例えば１００Ｇで通信するネットワークにおいて利用される。他の実施形態では、デバイス１０は１００Ｇを超えて、例えば４００Ｇで通信されるネットワークにおいて利用される。デバイス１０は、いくつかの実施形態によると、減じられたファイバ芯数、例えば８ｃｔファイバに基づいている。
【００２９】
一実施形態において、デバイス１０は、デバイス１０の少なくとも４つのフェルール位置内に配置され、一般的に１２と示された４本のＴＸファイバと、デバイス１０の少なくとも４つの追加のフェルール位置内に配置され、一般的に１４と示された少なくとも４本のＲＸファイバと、を備え得る。少なくとも４つのファイバフェルール位置は、ファイバを有しない。例えば、いくつかの実施形態において、中央のフェルール位置１６は、ファイバを有していない。これらは、「ダミー」又はダミー位置と呼ぶことができ、実際のファイバはデバイス１０を通って伝搬しない。
【００３０】
図５（ｂ）に示すように、またいくつかの実施形態では、８本のファイバのみがデバイス１０を通って伝搬する。８本のファイバは、デバイス１０内の最も外側のフェルール位置にスプリットされるか、又は、ピンで留められ得る。例えば、デバイス１０は、８ｃｔＳＣＳデバイスを備えることができ、４本の送信ファイバ１２及び４本の受信ファイバ１４がその中を伝搬する。いくつかの実施形態では、８本のファイバのみがデバイス１０を通って伝搬する。デバイス１０は少なくとも２つの端子１８を更に備えることができ、それにより、デバイス１０は、他のネットワークデバイスと電気的に通信できる。
【００３１】
いくつかの実施形態において、ネットワークの設計者は、８ｃｔファイバに基づいたＳＣＳデバイス（例えば“１０”）のみを利用して、１０Ｇ／４０Ｇ／１００Ｇ又はそれ以上のためのネットワークデータセンタを構成し得る。これは、異なるファイバのベースを有するデバイスをマッピングするための、費用のかかる高価なコンバータ又は変換モジュールが排除され得るので、１２ｃｔファイバに基づいた従来のネットワーク構造に関連づけられた難題を排除する。いくつかの実施形態において、８ｃｔデバイスは、光ファイバネットワーク（例えば、図９の“８０”）内のコンポーネント間（例えば、エンドツーエンド）で、ファイバの１００％（例えば８本すべてのファイバ）を接続することによって利用するように構成される。減じられたファイバ芯数を有するネットワーク及び／又はデバイスは、更に効率的な空間の使用を促進しながら、信号損失を減少させる。
【００３２】
図６（ａ）及び図６（ｂ）は、いくつかの実施形態に係る減じられたファイバ芯数基準を利用するケーブルターミネーションソリューションを示す。図６（ａ）は、ラックユニット（ＲＵ）２０を示す。ＲＵ２０は、異なるファイバ芯数又はファイバ基準を有するデバイス又はコンポーネント間を変換するための任意の変換モジュールを有していない。これは、設計、管理、構築及びネットワーク、又はデータセンタの設計の全体的な経済性が単純化及び改善されるので、好適であり得る。いくつかの実施形態において、ＲＵ２０は、ネットワークデータセンタ内に配置され得る。ＲＵ２０は、２４ｃｔ未処理エンドケーブル２２を入力する。未処理エンドケーブル２２は、一般的に２４と示された３つの８ｃｔファイバフィードにマッピングされ得る。未処理エンドケーブル２２といった８ｃｔに基づいたＳＣＳは、複数のターミネーションポイントを有する変換モジュールなしのチャネル当たりのエンドツーエンド接続により、改善されたネットワークマッピングを提供し得る。未処理エンドケーブル２２からマッピングされた各８ｃｔファイバフィードは、８ｃｔＭＰＯアダプタプレート２６でダイレクトターミネーションのためにマッピングされ得る。従って、ケーブル２２とアダプタプレート２６との各々が８ｃｔ基準又は８ｃｔファイバデバイスを各々備え得るので、ＲＵ２０は、ケーブル２２をアダプタプレート２６にマッピングするために必要とされる追加の変換モジュール又はコンバータを有しない。
【００３３】
図６（ｂ）は、一般的に３０と示された８ｃｔファイバジャンパーデバイスの例であり、それは、一般的に３２と示されたＭＰＯコネクタを有する複数のＳＣＳ間に配置され得る。デバイス３０は、所望された場合に８ｃｔＭＰＯコネクタ３２間をパッチするための８ｃｔデバイスを備え得る。いくつかの実施形態において、各ＭＰＯコネクタ３２は、少なくとも８つのアクティブなフェルール位置と、ファイバを有しない少なくとも４つのフェルール位置とを含むことにより、ジャンパーデバイス３０を介した１００％のエンドツーエンドのファイバのパッチ又は利用を提供する。
【００３４】
いくつかの実施形態において、第１のＭＰＯコネクタ３２Ａは、１２個のフェルール位置を備えることができ、中央の８つのフェルール位置３４は、ファイバによって占有され得、最も外側又は端のフェルール位置３６は、ファイバを有しないことがあり得る。すなわち、中央の８つのフェルールが使用され、最も外側のフェルールはダミーである。第１のＭＰＯコネクタ３２Ａは、第２のＭＰＯコネクタ３２Ｂにパッチされる。いくつかの実施形態において、第２のＭＰＯコネクタ３２Ｂは、１２個のフェルール位置を備えることができ、中央の４つのフェルール位置４０はファイバを有さず、８つの最も外側又は端のフェルール位置３８はファイバによって占有される。すなわち、中央の４つのフェルールはダミーであり、最も外側のフェルールが使用される。ジャンパーデバイス３０は、好適にコネクタ３２間のパッチを提供することができ、ネットワーク内の１００％のエンドツーエンドのファイバ利用の提供を支援する。ジャンパーデバイス３０は、信号のルーティングのために一方の光デバイス（例えば３２Ａ）をもう一方（例えば３２Ｂ）に接続（例えば「パッチイン」）するように構成され得る。いくつかの実施形態において、デバイス３０は、ファイバとそれぞれの通信チャネルとに、費用のかかる変換モジュールなしのデバイス間のジャンプを可能にさせることによって、ネットワーク接続を単純化するように、容易に構成されることができるので、異なるタイプのデバイスもまたデバイス３０を介して接続されることができる。
【００３５】
図７（ａ）および図７（ｂ）は、それぞれ一般的に５０及び６０と示されたリボンケーブル又はリボンケーブルデバイスを含むＳＣＳの断面図を示し、その各々は、いくつかの実施形態に係る減じられたファイバ芯数基準を利用する。いくつかの実施形態において、各デバイスは、８ｃｔファイバ基準を利用する。各デバイスは、最も外側の層、ジャケット、又はカバー５２を備え得る。カバー５２は、プラスチック、いくつかの実施形態では難燃性のプラスチックを備えるプレナムジャケットを含み得る。カバー５２は、塩化ビニル樹脂（ＰＶＣ）、フッ化エチレンプロピレン樹脂（ＦＥＰ）、ポリエチレン、及び／又はポリオレフィン材料といった、任意の適切なフレキシブルなプラスチック材料を備え得る。
【００３６】
いくつかの実施形態において、デバイス５０及びデバイス６０は、配線デバイスに強度又はいくらかの剛性を提供するための中間層又は中間材料５４を更に備え得る。中間層又は中間材料５４は、ガラス、ガラスヤーン、又は、任意の他の適切な材料を備え得る。いくつかの実施形態において、材料５４は、内側のファイバコアの周りに配置された誘電材料を備える。
【００３７】
デバイス５０及びデバイス６０は、最も内側のファイバコアを物理的に保護するために中心に配置されたクラッド又はチューブ５６を更に備え得る。中心のチューブ５６は、金属及び／又は合金の被覆を備え得る。光ファイバは、中心のチューブ５６の一部の中に配置され得る。いくつかの実施形態では、ＩＳＯ  １１８０１によって説明された、及び／又は、ＴＩＡ−４９２−ＡＡＡＤにおいて定義された光マルチモード（ＯＭ）ファイバが、中心のチューブ５６の中に配置される。
【００３８】
デバイス５０及びデバイス６０は、リップコード６２を更に備え得る。リップコード６２は、より簡単なジャケットの取り外しを容易にするためにカバー５２と中間材料５４との間に配置されたパラレルコード又は強度のある他のヤーンを備える。
【００３９】
特に図７（ａ）を参照すると、９６ｃｔファイバリボンケーブルＳＣＳデバイス５０が提供される。図７（ａ）は、９６ｃｔファイバケーブルの断面図である。デバイス５０は、合計で９６本のファイバを備えることができ、それはまた８ｃｔファイバ基準であり、ファイバの１００％がデータをＴＸ／ＲＸするために使用される。いくつかの実施形態において、９６本すべてのファイバが、向上した効率、他のデバイス又はネットワークコンポーネントへの改善された（例えば直接）接続、および減少した信号損失のために、ネットワーク内でエンドツーエンドに１００％利用され得る。デバイス５０は、２つのサブユニット５８Ａ及び５８Ｂを備え得る。各サブユニットはまた、８×６のファイバマトリックス内の８ｃｔファイバ芯数（例えば合計４８本のファイバ）を備え得る。デバイス５０は、ネットワーク内での１００％のファイバの利用を有する、８ｃｔの減じられた芯数のファイバ基準を含む。特に、費用のかかるコンバータ及び／又は変換モジュールが、デバイス５０を他のネットワークコンポーネントに接続するのに必要とされず、それは、ネットワークデータセンタ内の空間を節約しながら、浪費を減じることもできる。
【００４０】
図７（ｂ）を参照すると、１９２ｃｔファイバリボンケーブルＳＣＳデバイス６０が提供される。図７（ｂ）は、１９２ｃｔファイバケーブルの断面図である。デバイス６０は、合計で１９２本のファイバを備えることができ、それはまた８ｃｔファイバ基準であり、１９２本のファイバの１００％がデバイス６０内及び／又は複数のデバイス間でエンドツーエンドに利用されて、ネットワーク内のデバイスが接続される。いくつかの実施形態において、１９２本すべてのファイバがネットワーク内でエンドツーエンドに１００％利用され得ることにより、ネットワーク内での浪費を防止する。デバイス６０は、２つの８ｃｔサブユニット６４Ａ及び６４Ｂを備え得る。各サブユニットは、８×１６のファイバマトリックス内の合計９６本のファイバを備え得る。デバイス６０は８ｃｔの減じられたファイバ芯数基準を含むので、高価な変換モジュール及び／又はコンバータの必要がなくなる。単に例示の目的で９６ｃｔ及び１９２ｃｔのファイバ芯数のリボンケーブルを説明したが、いずれの８ｃｔファイバ基準で構成されたリボンケーブル及び／又はデバイスも提供されることができる。限定ではなく例として、本明細書で説明されるネットワークは、１０Ｇで通信する４つの別個のチャネル、２５Ｇで通信する４つの別個のチャネル、１０Ｇで通信する１６個の別個のチャネル、又は、２５Ｇで通信する１６個のチャネルを有するデバイスを備え得る。任意の数のチャネルを有するデバイスもまた提供されることができる。
【００４１】
図８は、いくつかの実施形態に係る、２つの別個のリボン、ネットワーク機器の部品、又は、ネットワーク内のネットワークデバイス間のインターコネクションポイントを示す。各デバイスは、減じられたファイバ芯数を備えることができ、例えば８ｃｔファイバ基準である。いくつかの実施形態において、ネットワーク内で接続される各デバイス（例えば、通信モジュール、ケーブル、リボン、コネクタ、スイッチ、プレート等）は、同一のファイバ基準を有し得るので、コンバータ又は変換モジュールは不要である。
【００４２】
例えば、上記背景技術のセクションで説明したように（例えば図３も参照）、従来のネットワークに関連づけられた１つの問題は、デバイス間のインターコネクションポイントが、インターコネクションポイントでの複数のターミネーション及び／又は接続を含むことである。これは、ネットワーク内の信号損失に寄与してしまう。これに対し、図８は、第１のネットワークデバイス７２と第２のネットワークデバイス７４との間に配置されたインターコネクションポイント７０を示している。各ネットワークデバイスは、減じられたファイバ芯数を備えることができ、例えば８ｃｔファイバ基準を有する。ネットワークにおける各デバイス７２及び７４は、８ｃｔファイバを有するので、コンバータの必要はなくなる。特に、図８に示すように、インターコネクションポイント７０当たり１つの接続７６が提供され、それは、各ネットワークチャネルにわたる信号損失の可能性を最小化する。
【００４３】
図９は、いくつかの実施形態に係る減じられたファイバ芯数基準を有するＳＣＳを利用する一般的に８０と示された光ファイバネットワークの模式的なネットワーク図である。特に、ネットワーク８０は、光ファイバを備える複数のネットワークデバイス（例えば、ネットワーク機器８４Ａ、８４Ｂ）で構成された光ファイバネットワークを備え、光ファイバの１００％が複数のネットワークデバイスにわたってエンドツーエンドで利用される。いくつかの実施形態において、ネットワーク８０は、ネットワークデータセンタ内でネットワーク機器８４Ａ及び８４Ｂの様々なコンポーネント及び／又は部分を接続するための、一般的に８２Ａおよび８２Ｂと示されたいくつかのインターコネクションパネルを備えるエンドツーエンドのパッシブネットワークを備え得る。いくつかの実施形態では、少なくとも１つのトランクケーブル８６が、２つ以上のネットワークパネル８２Ａ及び８２Ｂを接続するために使用され得る。例示の目的で２つのパネルのみが示されているが、様々なタイプのネットワーク機器の複数のパネル及び／又は部品がネットワーク８０において提供され得る。ネットワーク８０は、１０Ｇ、４０Ｇ、１００Ｇで、又は１００Ｇを超えて（例えば４００Ｇで）通信するためのパラレルオプティックスネットワークを備え得る。特に、ネットワーク８０は、複数の１２ｃｔ未処理エンドケーブルターミネーション及び／又は変換モジュールを有していない。
【００４４】
図９に示すように、トランクケーブル８６は、それぞれのネットワークパネル８２Ａと８２Ｂとの間に配置されたインターコネクションポイント９０Ａ及び９０Ｂで終端し得る。特に、インターコネクションポイント９０Ａ及び９０Ｂは、単一の直接接続を備えている。インターコネクションポイント９０Ａ及び９０Ｂにおいて、トランクケーブル８６の反対端は、複数の異なるパッチコード又はケーブル８８Ａ及び８８Ｂとそれぞれ直接接続し得る。トランクケーブル８６とケーブル８８Ａ及び８８Ｂの各々は、減じられたファイバ芯数を備えることができ、いくつかの実施形態では８ｃｔファイバ基準を有する。いくつかの態様において、各ケーブル８６、８８Ａ、及び８８Ｂは、同一の芯数ファイバ基準を備えることもできるので、ケーブル内の各ファイバは、ネットワーク内で又はその一部で、エンドツーエンドに利用される。
【００４５】
インターコネクションポイント９０Ａ及び９０Ｂでの１つの直接接続の提供により、ネットワーク内の信号強度が改善するだけでなく、浪費が防止され、空間が節約される。特に、ネットワーク８０は、エンドツーエンドの１００％のファイバ利用を有するコンポーネント及びデバイスを備え得る。いくつかの実施形態では、ネットワーク８０のみが、エンドツーエンドの１００％のファイバ利用を有するコンポーネント及びデバイスを有する。図９に示すように、トランクケーブル８６とケーブル８８Ａ及び８８Ｂとが接続され、それらの間で１００％のファイバ利用を備え得る。いくつかの実施形態では、８ｃｔファイバ又は８ｃｔファイバ基準を有するパネル、ケーブル及び機器のみが、ネットワーク８０内で使用される。いくつかの態様において、トランクケーブル８６及び／又はジャンパーケーブル８８Ａ及び８８Ｂは、ＭＰＯコネクタによって終端させられる８ｃｔリボンを備える。費用のかかる変換モジュールは、トランクケーブル８６をケーブル８８Ａ及び８８Ｂに接続するため、ネットワーク８０において必要とされない。
【００４６】
図１０は、いくつかの実施形態に係る減じられたファイバ芯数基準を有し、一般的に１００と示されたネットワークデータセンタを示す。データセンタ１００は、複数のネットワークデバイス、エンティティ、コンポーネント、及び／又は機器を接続するための１つ以上のインターコネクトパネル１０２を備え得る。パネル１０２は、複数の入力１０２Ａ及び複数の出力１０２Ｂを備えることができ、それによって、リボン、通信モジュール、デバイス、及び／又は、任意の他のネットワークコンポーネントが直接接続し得る。データセンタ１００は、１つ以上のスイッチ１０４を更に備え得る。スイッチ１０４は、コネクタ又は接続１０４Ａを備え、コネクタ又は接続１０４Ａによって終了し得、それは、いくつかの実施形態において、ＭＰＯコネクタで終端する。特に、各ネットワークコンポーネント又はデバイスは８ｃｔファイバ基準を利用し、それらの間で、エンドツーエンドの１００％の利用を有するので、データセンタ１００は、パネル１０２とスイッチ１０４との間に変換モジュールを有しない。
【００４７】
一般的に１０６と示された複数の８ｃｔファイバリボン又はケーブル（例えば、図７（ａ）／７（ｂ））は、パネル１０２において入力として受信され得る。各リボン１０６の接続端１０６Ａは、パネル１０２の入力１０２Ａと直接接続し得る。いくつかの態様において、接続端１０６Ａ及び入力１０２Ａは、ＭＰＯコネクタを備え得る。
【００４８】
一般的に１０８と示された複数の８ｃｔファイバリボンジャンパー又はジャンパーケーブルは、パネルの出力１０２Ｂにおいて接続され得る。ジャンパーケーブル１０８は各々、第１の接続端１０８Ａ及び第２の接続端１０８Ｂを備えることができ、その１つはパネルを１０２に、もう１つはスイッチ１０４に接続する。いくつかの態様において、各リボン１０６の接続端１０６Ａは、パネル１０２の入力１０２Ａと直接接続し得る。いくつかの態様において、接続端１０６Ａおよび入力１０２Ａは、ＭＰＯコネクタを備え得る。
【００４９】
各インターコネクトパネル１０２は、ラックユニットＵ１−Ｘを備え得る。複数のラックユニットＵ１〜ＵＸは、データセンタ１００の単一のラックＲＵにおいて提供され得る。各ユニットＵ１〜ＵＸは、ネットワーク内の、及び／又は、ネットワーク機器にわたる、データの通信を容易にするため、複数のポートＰを備え得る。
【００５０】
本明細書に開示された実施形態は、例えば、以下の有益な技術的効果、すなわち、ネットワーク内の一部又は全部のデバイス又はコンポーネントにわたる１００％のエンドツーエンドのファイバの利用、ネットワーク当たりの外部のコンバータの排除又は減少、改善及び／又は単純化されたネットワークの管理、改善及び／又は単純化されたネットワークの構築、向上したネットワーク効率、ネットワーク及び／又は機器を提供する減少したコスト、より少ない浪費、ネットワーク当たりに要求されるより少ない消耗品／原材料、及び／又は最小化された信号損失、の１つ以上を提供することができる。
【００５１】
デバイス、ネットワーク、及び方法が、特定の実施形態、特徴、及び例示的な実施形態に関連して本明細書において説明されているが、主題の有用性はそれによって限定されるものではなく、むしろ、本明細書における開示に基づいて、本願の主題の分野の当業者にそれら自身を示唆するように、多数の他の変形、変更、及び代替の実施形態に拡張され、それらを含むものと理解されるだろう。本明細書において説明された構造および特徴のさまざまな組合せ及び下位の組合せが意図され、この開示の知識を有する当業者に明らかであろう。
【００５２】
本明細書に開示された様々な特徴および要素はいずれも、本明細書においてそうでないと示されない限り、開示された１つ以上の他の特徴及び要素と組み合わせられることができる。従って、この後に特許請求される主題は、その範囲内の、及び、請求項の均等物を含む、そのようなすべての変形、変更、及び代替の実施形態を含むものとして、広く理解され、解釈されるように意図される。
【符号の説明】
【００５３】
１０…ＳＣＳ又はケーブルデバイス、１２…ＴＸファイバ、１４…ＲＸファイバ、１６…中央のフェルール位置、１８…端子、２０…ラックユニット（ＲＵ）、２２…２４ｃｔ未処理エンドケーブル、２４…８ｃｔファイバフィード、２６…８ｃｔＭＰＯアダプタプレート、３０…８ｃｔファイバジャンパーデバイス、３２…ＭＰＯコネクタ、３２Ａ…第１のＭＰＯコネクタ、３２Ｂ…第２のＭＰＯコネクタ、３４…中央の８つのフェルール位置、３６…最も外側又は端のフェルール位置、３８…８つの最も外側又は端のフェルール位置、４０…中央の４つのフェルール位置、５０…９６ｃｔファイバリボンケーブルＳＣＳデバイス、５２…最も外側の層、ジャケット又はカバー、５４…中間層又は中間材料、５６…クラッド又はチューブ、５８Ａ…サブユニット、５８Ｂ…サブユニット、６０…１９２ｃｔファイバリボンケーブルＳＣＳデバイス、６２…リップコード、６４Ａ…８ｃｔサブユニット、６４Ｂ…８ｃｔサブユニット、７０…インターコネクションポイント、７２…第１のネットワークデバイス、７４…第２のネットワークデバイス、７６…接続、８０…光ファイバネットワーク、８２Ａ…インターコネクションパネル、８２Ｂ…インターコネクションパネル、８４Ａ…ネットワーク機器、８４Ｂ…ネットワーク機器、８６…トランクケーブル、８８Ａ…ケーブル、８８Ｂ…ケーブル、９０Ａ…インターコネクションポイント、９０Ｂ…インターコネクションポイント、１００…ネットワークデータセンタ、１０２…インターコネクトパネル、１０２Ａ…入力、１０２Ｂ…出力、１０４…スイッチ、１０４Ａ…コネクタ又は接続、１０６…８ｃｔファイバリボン又はケーブル、１０６Ａ…接続端、１０８…８ｃｔファイバリボンジャンパー又はジャンパーケーブル、１０８Ａ…第１の接続端、１０８Ｂ…第２の接続端。
【図１】
2015216615.tif 000003
【図２】
2015216615.tif 000004
【図３】
2015216615.tif 000005
【図４】
2015216615.tif 000006
【図５】
2015216615.tif 000007
【図６】
2015216615.tif 000008
【図７】
2015216615.tif 000009
【図８】
2015216615.tif 000010
【図９】
2015216615.tif 000011
【図１０】
2015216615.tif 000012
【外国語明細書】
2015216615000001.pdf